(57)【要約】【課題】年齢差がある利用者同士でカラオケ歌唱を行う際、年下の利用者がカラオケ歌唱し易い楽曲を提示可能なカラオケ装置を提供する。【解決手段】カバー楽曲の識別情報と、当該カバー楽曲の原曲が発表された年代とを紐付けて記憶するカバー楽曲記憶部と、利用者同士の年齢を比較することにより、最年長者を特定する特定部と、特定された最年長者の歌唱年代を判別する判別部と、カバー楽曲記憶部を参照し、判別された歌唱年代を原曲の発表年代とするカバー楽曲を抽出する抽出部と、最年長者以外の他の利用者に対し、抽出したカバー楽曲を示す情報を提示する提示部と、を有するカラオケ装置。【選択図】図２
2019101118.tif 000002
【特許請求の範囲】
【請求項１】
複数の利用者でカラオケ歌唱を行うためのカラオケ装置であって、
カバー楽曲の識別情報と、当該カバー楽曲の原曲が発表された年代とを紐付けて記憶するカバー楽曲記憶部と、
利用者同士の年齢を比較することにより、最年長者を特定する特定部と、
特定された前記最年長者が良く歌唱する楽曲の年代または知っている楽曲の年代を示す歌唱年代を判別する判別部と、
前記カバー楽曲記憶部を参照し、判別された前記歌唱年代を原曲の発表年代とするカバー楽曲を抽出する抽出部と、
前記最年長者以外の他の利用者に対し、抽出した前記カバー楽曲を示す情報を提示する提示部と、
を有するカラオケ装置。
【請求項２】
前記判別部は、前記最年長者の歌唱履歴に基づいて前記歌唱年代を判別することを特徴とする請求項１記載のカラオケ装置。
【請求項３】
前記判別部は、前記最年長者が予約した楽曲が発表された年代または前記最年長者が歌唱中の楽曲が発表された年代に基づいて前記歌唱年代を判別することを特徴とする請求項１記載のカラオケ装置。
【請求項４】
前記カバー楽曲記憶部は、前記カバー楽曲の識別情報に対し、当該カバー楽曲が発表された年代を更に紐付けて記憶し、
前記判別部は、前記他の利用者の歌唱年代を判別し、
前記抽出部は、前記カバー楽曲記憶部を参照し、前記最年長者の歌唱年代を原曲の発表年代とするカバー楽曲のうち、前記他の利用者の歌唱年代に発表されたカバー楽曲を抽出することを特徴とする請求項１〜３のいずれか一つに記載のカラオケ装置。
【請求項５】
前記特定部は、前記利用者同士の年齢を比較し、所定値以上の年齢差がある場合に前記最年長者を特定することを特徴とする請求項１〜４のいずれか一つに記載のカラオケ装置。
【発明の詳細な説明】
【技術分野】
【０００１】
本発明はカラオケ装置に関する。
【背景技術】
【０００２】
複数の利用者でカラオケ歌唱を行う場合、その場の雰囲気を盛上げるために、ある利用者が歌唱中の楽曲に関連した楽曲を他の利用者が選曲しようとすることがある。この際、歌唱中の楽曲を他の利用者が知らない場合には、関連した楽曲を選曲することが困難である。
【０００３】
そこで、特許文献１には歌唱中の楽曲に関する歌手名、ジャンル、年代等の属性情報をリモコン装置に表示させることにより、歌唱中の楽曲に関連した楽曲を検索しやすくする技術が開示されている。
【先行技術文献】
【特許文献】
【０００４】
【特許文献１】特開２００４−２１２４７６号公報
【発明の概要】
【発明が解決しようとする課題】
【０００５】
ところで、たとえば会社の上司と部下のように、年齢が離れた利用者同士でカラオケ歌唱を行う場合がある。このような場合、良く歌唱する楽曲の年代や知っている楽曲の年代（以下、「歌唱年代」）が利用者によって異なる。
【０００６】
従って、たとえば、年下の利用者が自己の歌唱年代の楽曲を無遠慮に歌唱した場合等には、場の雰囲気を損なう可能性がある。
【０００７】
一方で、歌唱年代が異なる場合、年下の利用者は、年上の利用者の歌唱する楽曲に関連する楽曲を選曲することが困難である。更に、この際、特許文献１に記載の技術を利用して、年上の利用者が歌唱している楽曲に関連する楽曲の検索が可能になったとしても、そもそも歌唱年代が異なるため、年下の利用者が歌唱できない楽曲（知らない楽曲）のみが検索で選ばれる可能性がある。この場合、年下の利用者は歌唱する楽曲が決まらないため、スムーズな歌唱が困難となる。その結果、場の雰囲気を損なうこととなる。
【０００８】
本発明の目的は、年齢差がある利用者同士でカラオケ歌唱を行う際、年下の利用者がカラオケ歌唱し易い楽曲を提示可能なカラオケ装置を提供することにある。
【課題を解決するための手段】
【０００９】
上記目的を達成するための主たる発明は、複数の利用者でカラオケ歌唱を行うためのカラオケ装置であって、カバー楽曲の識別情報と、当該カバー楽曲の原曲が発表された年代とを紐付けて記憶するカバー楽曲記憶部と、利用者同士の年齢を比較することにより、最年長者を特定する特定部と、特定された前記最年長者が良く歌唱する楽曲の年代または知っている楽曲の年代を示す歌唱年代を判別する判別部と、前記カバー楽曲記憶部を参照し、判別された前記歌唱年代を原曲の発表年代とするカバー楽曲を抽出する抽出部と、前記最年長者以外の他の利用者に対し、抽出した前記カバー楽曲を示す情報を提示する提示部と、を有するカラオケ装置である。
本発明の他の特徴については、後述する明細書及び図面の記載により明らかにする。
【発明の効果】
【００１０】
本発明によれば、年齢差がある利用者同士でカラオケ歌唱を行う際、年下の利用者がカラオケ歌唱し易い楽曲を提示できる。
【図面の簡単な説明】
【００１１】
【図１】第１実施形態に係るカラオケ装置のハードウェア構成例を示す図である。
【図２】第１実施形態に係る装置本体のソフトウェア構成例を示す図である。
【図３】第１実施形態に係るカバー楽曲記憶部に記憶されるデータ例を示す図である。
【図４】第１実施形態に係る利用者の歌唱履歴の例を示した図である。
【図５】第１実施形態に係るカラオケ装置の処理を示すフローチャートである。
【図６】第２実施形態に係るカバー楽曲記憶部に記憶されるデータ例を示す図である。
【図７】第２実施形態に係る利用者の歌唱履歴の例を示した図である。
【図８】第２実施形態に係るカラオケ装置の処理を示すフローチャートである。
【発明を実施するための形態】
【００１２】
＜第１実施形態＞
図１〜図５を参照して、本実施形態に係るカラオケ装置１について説明する。
【００１３】
＝＝カラオケ装置＝＝
カラオケ装置１は、利用者が選曲した楽曲のカラオケ演奏、及び利用者（一人または複数）がカラオケ歌唱を行うための装置である。図１に示すように、カラオケ装置１は、カラオケ本体１０、スピーカ２０、表示装置３０、マイク４０、及びリモコン装置５０を備える。
【００１４】
スピーカ２０はカラオケ本体１０からの放音信号に基づいて放音するための構成である。表示装置３０はカラオケ本体１０からの信号に基づいて映像や画像を画面に表示するための構成である。マイク４０は利用者の歌唱音声（マイク４０からの入力音声）をアナログの歌唱音声信号に変換してカラオケ本体１０に入力するための構成である。
【００１５】
（カラオケ本体のハードウェア）
図１に示すように、カラオケ本体１０は、制御部１１、通信部１２、記憶部１３、音響処理部１４、表示処理部１５及び操作部１６を備える。各構成はインターフェース（図示なし）を介してバスＢに接続されている。
【００１６】
カラオケ本体１０は、選曲された楽曲のカラオケ演奏制御、歌詞や背景画像等の表示制御、マイク４０を通じて入力された歌唱音声信号の処理といった、カラオケ歌唱に関する各種の制御を行う。
【００１７】
制御部１１は、ＣＰＵ１１ａおよびメモリ１１ｂを備える。ＣＰＵ１１ａは、メモリ１１ｂに記憶された動作プログラムを実行することにより各種の制御機能を実現する。メモリ１１ｂは、ＣＰＵ１１ａに実行されるプログラムを記憶したり、プログラムの実行時に各種情報を一時的に記憶したりする記憶装置である。
【００１８】
通信部１２は、ルーター（図示なし）を介してカラオケ本体１０を通信回線に接続するためのインターフェースを提供する。
【００１９】
記憶部１３は、各種のデータを記憶する大容量の記憶装置であり、たとえばハードディスクドライブなどである。記憶部１３は、カラオケ装置１によりカラオケ演奏を行うための複数の楽曲データを記憶する。
【００２０】
楽曲データは、個々のカラオケ楽曲を特定するための識別情報（楽曲ＩＤ）が付与されている。楽曲データは、伴奏データ、リファレンスデータ、背景画像データ、歌詞データ及び属性情報を含む。伴奏データは、カラオケ演奏音の元となるＭＩＤＩ形式のデータである。リファレンスデータは、利用者によるカラオケ歌唱を採点する際の基準として用いられるデータである。リファレンスデータは、ピッチ（音高）データ、音長データ、タイミングデータ等を含む。背景画像データは、カラオケ演奏時に合わせて表示装置３０等に表示される背景画像に対応するデータである。歌詞データは、表示装置３０等に表示させる歌詞（歌詞テロップ）に関するデータである。属性情報は、曲名、歌手名、作詞・作曲者名、楽曲が発表された年代、及びジャンル等の当該楽曲に関する情報である。ここで、楽曲が発表された年代は、たとえばＣＤが発売された年やインターネット上にアップロードされた年等、ある一の年であってもよいし、１９７０年代（１９７０年〜１９７９年）、２０００年代（２０００年〜２００９年）等、所定の期間であってもよい。
【００２１】
音響処理部１４は、制御部１１の制御に基づき、楽曲に対する演奏の制御およびマイク４０を通じて入力された歌唱音声信号の処理を行う。音響処理部１４は、たとえばＭＩＤＩ音源、ミキサ、アンプ（いずれも図示なし）を含む。制御部１１は、予約された楽曲の伴奏データを、テンポクロック信号に基づいて順次読み出し、ＭＩＤＩ音源に入力する。ＭＩＤＩ音源は、当該伴奏データに基づいて楽音信号を生成する。ミキサは、当該楽音信号およびマイク４０から出力される歌唱音声信号を適当な比率でミキシングしてアンプに出力する。アンプは、ミキサからのミキシング信号を増幅し、放音信号としてスピーカ２０へ出力する。これにより、スピーカ２０からは放音信号に基づくカラオケ演奏音およびマイク４０からの歌唱音声が放音される。
【００２２】
表示処理部１５は、制御部１１の制御に基づき、表示装置３０における各種表示に関する処理を行う。たとえば、表示処理部１５は、カラオケ演奏時における背景画像に歌詞や各種アイコンが重ねられた映像を表示装置３０に表示させる制御を行う。
【００２３】
操作部１６は、パネルスイッチおよびリモコン受信回路などからなり、利用者によるカラオケ装置１のパネルスイッチあるいはリモコン装置５０の操作に応じて選曲信号、演奏中止信号などの操作信号を制御部１１に対して出力する。制御部１１は、操作部１６からの操作信号を検出し、対応する処理を実行する。
【００２４】
リモコン装置５０は、カラオケ本体１０に対する各種操作をおこなうための装置である。利用者はリモコン装置５０を用いて歌唱を希望するカラオケ楽曲の選曲（予約）等を行うことができる。
【００２５】
（カラオケ本体のソフトウェア）
図２はカラオケ本体１０のソフトウェア構成例を示す図である。カラオケ本体１０は、カバー楽曲記憶部１００、特定部２００、判別部３００、抽出部４００、及び提示部５００を備える。カバー楽曲記憶部１００は、記憶部１３の記憶領域の一部として提供される。特定部２００、判別部３００、抽出部４００、及び提示部５００は、ＣＰＵ１１ａがメモリ１１ｂに記憶されるプログラムを実行することにより実現される。
【００２６】
［カバー楽曲記憶部］
カバー楽曲記憶部１００は、カバー楽曲の識別情報と、当該カバー楽曲の原曲が発表された年代とを紐付けて記憶する。
【００２７】
カバー楽曲は、ある歌手が発表した楽曲（原曲）を他の歌手が歌唱したものである。一般的に、カバー楽曲は原曲の発表から約１０年以上経過した後に発表されることが多い。これは、通常、カバー楽曲は大ヒットした原曲に対して作成されるものであるため、原曲の発表からあまり年数が経過していないと、原曲の歌手のイメージが強く、他の歌手がカバーしにくいという面があるからである。
【００２８】
本実施形態に係るカバー楽曲記憶部１００は、原曲が発表された年代を基準としてカバー楽曲の識別情報を記憶する。図３は、カバー楽曲記憶部１００に記憶されているデータ例を示す。図３の例では、楽曲（原曲）が発表された一の年毎に、カバー楽曲の楽曲ＩＤが関連付けられたテーブル形式のデータとして記憶されている。図３の例において、１９８０年に発表された楽曲全てに対応するカバー楽曲は、ＩＤ８００１〜ＩＤ８０１５の１５曲存在する。ここで、たとえば、原曲Ｘ１に対してＩＤ８００１のカバー楽曲が存在し、原曲Ｘ２に対してＩＤ８００２のカバー楽曲が存在し、原曲Ｘ３に対してＩＤ８００３のカバー楽曲が存在し・・・といったように一の原曲に対して一のカバー楽曲が存在する場合や、人気の高い原曲について複数のカバー楽曲が存在する場合がある。いずれの場合であっても、１９８０年に発表された楽曲のカバー楽曲については、当該年代に紐付けて記憶される。
【００２９】
［特定部］
特定部２００は、利用者同士の年齢を比較することにより、最年長者を特定する。
【００３０】
利用者同士の年齢比較は、たとえば、各利用者の登録情報に含まれる年齢情報に基づいて行う。登録情報は、たとえば、カラオケ装置１または専用のＷｅｂサイト等を介して入力された氏名、住所、年齢、好きな楽曲のジャンル等の情報である。登録情報は、利用者の歌唱履歴等と合わせて固有のＩＤ（利用者ＩＤ）に紐付けて記憶部１３やサーバ（図示無し）に記憶されている。
【００３１】
たとえば、複数の利用者でカラオケ装置１を利用する場合、各利用者は、自己の利用者ＩＤでカラオケ装置１にログインする。特定部２００は、ログインした利用者の登録情報から年齢情報を読み出して比較する。一例として、利用者Ａ（上司：年齢５７歳）及び利用者Ｂ（部下：年齢２７歳）がログインしたとする。この場合、特定部２００は、利用者Ａと利用者Ｂの年齢を比較することにより、最年長者として利用者Ａを特定する。なお、３人以上の利用者が居る場合、各人の年齢情報を比較することで最年長者を決定する。
【００３２】
なお、複数の利用者でカラオケ装置１を利用する場合であっても、会社や学校の同期等、利用者同士の年齢差が小さければ歌唱年代が大きく異なることはない。従って、特定部２００は、利用者同士の年齢を比較し、所定値以上の年齢差がある場合に最年長者を特定することでもよい。所定値は、歌唱年代の差分等を加味して任意の値（たとえば、±５歳）を設定できる。
【００３３】
［判別部］
判別部３００は、特定された最年長者が良く歌唱する楽曲の年代または知っている楽曲の年代を示す歌唱年代を判別する。
【００３４】
歌唱年代は、ある一の年でもよいし、所定の期間（たとえば、１９７５年〜１９８０年）でもよい。歌唱年代の判別は、たとえば以下の２つの方法により行うことができる。
【００３５】
第１の方法として、判別部３００は、最年長者の歌唱履歴に基づいて歌唱年代を判別する。
【００３６】
たとえば、利用者Ａが最年長者として特定されたとする。この場合、判別部３００は、利用者Ａの歌唱履歴を参照し、利用者Ａが過去に歌唱した楽曲の属性情報から、楽曲が発表された年代を特定し、特定された年代を元に歌唱年代を判別する。図４は、利用者Ａの歌唱履歴を示す図である。図４によれば、利用者Ａは、１９７５年〜１９８５年に発表された楽曲を歌唱したことがある。ここで、図４のように歌唱履歴に幅がある場合、どの年代を歌唱年代とするかは予め任意の値を設定しておいてもよいし、都度設定してもよい。たとえば、歌唱する頻度が２０以上の年を歌唱年代とするよう設定されているとする。この場合、判別部３００は、頻度が２０以上の１９７９年〜１９８１年を利用者Ａの歌唱年代として判別する。
【００３７】
なお、歌唱年代は様々な設定が可能である。たとえば、最頻値である１９８０年を歌唱年代としてもよいし、歌唱履歴がある１９７５年〜１９８５年全てを歌唱年代としてもよい。また、歌唱年代として所定の期間を判別する場合、カラオケ装置１毎にある期間（たとえば、最頻値の前後２年）を予め設定していてもよいし、都度任意の期間を設定することでもよい。また、利用者によっては、歌唱する頻度が高い年代が、１９７９年、１９８２年、１９８５年といったように不連続になる場合がある。この場合、それぞれの年代を歌唱年代としてもよいし、最も頻度が高い年を歌唱年代としてもよい。
【００３８】
第２の方法として、判別部３００は、最年長者が予約した楽曲が発表された年代または最年長者が歌唱中の楽曲が発表された年代に基づいて歌唱年代を判別する。
【００３９】
たとえば、利用者Ａが最年長者として特定されたとする。この場合、判別部３００は、予約待ち行列を参照することで、利用者Ａが予約した楽曲または歌唱中の楽曲を特定する。判別部３００は、特定した楽曲の属性情報を参照することにより、当該属性情報に含まれる発表年代を歌唱年代として判別する。
【００４０】
なお、利用者Ａにより予約された楽曲が複数ある場合、判別部３００は、ある特定の楽曲（たとえば、最も新しく予約された楽曲）が発表された年代を歌唱年代として判別することができる。或いは、判別部３００は、全ての楽曲の発表された年代を合わせた期間を歌唱年代として判別してもよいし、重複する発表年代についてのみ歌唱年代として判別することでもよい。たとえば、利用者Ａにより、１９９０年に発表された楽曲Ｘ１、１９９１年に発表された楽曲Ｘ２、Ｘ３、及び１９９２年に発表された楽曲Ｘ４が予約されているとする。この場合、判別部３００は、１９９０年〜１９９２年を歌唱年代として判別してもよいし、１９９１年を歌唱年代として判別してもよい。
【００４１】
［抽出部］
抽出部４００は、カバー楽曲記憶部１００を参照し、判別された歌唱年代を原曲の発表年代とするカバー楽曲を抽出する。
【００４２】
たとえば、上記例において、最年長者である利用者Ａの歌唱年代が１９８０年と判別されたとする。この場合、抽出部４００は、カバー楽曲記憶部１００に記憶されているテーブルデータ（図３）の中から、１９８０年に発表された楽曲に対応するカバー楽曲の楽曲ＩＤ８００１〜８０１５を抽出する。
【００４３】
［提示部］
提示部５００は、最年長者以外の他の利用者に対し、抽出したカバー楽曲を示す情報を提示する。
【００４４】
他の利用者は、一のカラオケ装置を利用する利用者（ログインした利用者）のうち、最年長者以外の利用者である。上記例であれば、利用者Ｂが他の利用者に該当する。カバー楽曲を示す情報は、楽曲ＩＤ、楽曲名、歌手名等、カバー楽曲を特定できる情報である。情報の提示方法は様々な手法が可能である。たとえば、提示部５００は、カバー楽曲を示す情報をリモコン装置５０の表示画面に表示させることができる。或いは、提示部５００は、カバー楽曲を示す情報を他の利用者が所有する携帯端末に送信し、携帯端末にインストールされた専用アプリケーションソフトウエアを使って間接的に提示することも可能である。
【００４５】
＝＝カラオケ装置１の動作について＝＝
次に、図５を参照して本実施形態におけるカラオケ装置１の動作の具体例について述べる。図５は、カラオケ装置１の動作例を示すフローチャートである。この例では、利用者Ａ及び利用者Ｂがカラオケ装置１でカラオケ歌唱を行うとする。また、利用者Ａが最年長者であるとする。
【００４６】
利用者Ａ及び利用者Ｂは、自己の利用者ＩＤでカラオケ装置１にログインする（利用者のログイン。ステップ１０）。特定部２００は、利用者Ａと利用者Ｂの登録情報から年齢情報を読み出して比較することで、最年長者（利用者Ａ）を特定する（最年長者の特定。ステップ１１）。
【００４７】
判別部３００は、ステップ１１で特定された利用者Ａの歌唱履歴に基づいて、利用者Ａの歌唱年代を判別する（歌唱年代の判別。ステップ１２）。
【００４８】
抽出部４００は、カバー楽曲記憶部１００を参照し、ステップ１２で判別された歌唱年代を原曲の発表年代とするカバー楽曲を抽出する（カバー楽曲の抽出。ステップ１３）。
【００４９】
提示部５００は、利用者Ｂに対し、ステップ１３で抽出したカバー楽曲を示す情報を提示する（カバー楽曲の提示。ステップ１４）。
【００５０】
以上から明らかなように、本実施形態に係るカラオケ装置１は、複数の利用者でカラオケ歌唱を行うためのカラオケ装置であって、カバー楽曲記憶部１００、特定部２００、判別部３００、抽出部４００、及び提示部５００を含む。カバー楽曲記憶部１００は、カバー楽曲の識別情報と、当該カバー楽曲の原曲が発表された年代とを紐付けて記憶する。特定部２００は、利用者同士の年齢を比較することにより、最年長者を特定する。判別部３００は、特定された最年長者が良く歌唱する楽曲の年代または知っている楽曲の年代を示す歌唱年代を判別する。抽出部４００は、カバー楽曲記憶部１００を参照し、判別された歌唱年代を原曲の発表年代とするカバー楽曲を抽出する。提示部５００は、最年長者以外の他の利用者に対し、抽出したカバー楽曲を示す情報を提示する。
【００５１】
このようなカラオケ装置１によれば、最年長者の歌唱年代に発表された楽曲に対応するカバー楽曲を年下の利用者に対して提示できる。提示されたカバー楽曲は、最年長者の歌唱年代に発表された楽曲を他の歌手が歌唱したものであるため、歌詞やメロディはほぼ変わらない。よって、カバー楽曲のカラオケ歌唱を聴いた最年長者は、原曲を直ぐに思い浮かべることができるため、年下の利用者のカラオケ歌唱を楽しむことができる。一方、原曲を知らない年下の利用者であっても、慣れ親しんでいるカバー曲であればカラオケ歌唱はできるため、予約する楽曲が決まらない等の問題が生じ難い。すなわち、本実施形態に係るカラオケ装置１によれば、年齢差がある利用者同士でカラオケ歌唱を行う際、年下の利用者がカラオケ歌唱し易い楽曲を提示できる。従って、カラオケ歌唱の場の雰囲気を損なうことが無い。
【００５２】
また、判別部３００は、最年長者の歌唱履歴に基づいて歌唱年代を判別する。或いは、判別部３００は、最年長者が予約した楽曲が発表された年代または最年長者が歌唱中の楽曲が発表された年代に基づいて歌唱年代を判別する。
【００５３】
このように過去の歌唱履歴や実際に予約された楽曲等を利用して歌唱年代を判別することにより、最年長者の歌唱年代を正確に判別できる。
【００５４】
更に、利用者同士の年齢が近い場合には、歌唱年代も近いため、知らない楽曲のカラオケ歌唱により場の雰囲気が損なわれるという可能性が低い。そこで、特定部２００は、利用者同士の年齢を比較し、所定値以上の年齢差がある場合に最年長者を特定してもよい。
【００５５】
＜第２実施形態＞
次に、図６〜図８を参照して、第２実施形態に係るカラオケ装置１について説明する。本実施形態では、他の利用者の歌唱年代を加味してカバー楽曲を提示する例について述べる。第１実施形態と同様の構成については詳細な説明を省略する。
【００５６】
［カバー楽曲記憶部］
本実施形態に係るカバー楽曲記憶部１００は、カバー楽曲の識別情報、当該カバー楽曲の原曲が発表された年代に加え、カバー楽曲が発表された年代を更に紐付けて記憶する。
【００５７】
本実施形態に係るカバー楽曲記憶部１００は、原曲が発表された年代を基準として、カバー楽曲の識別情報、及びカバー楽曲が発表された年代を記憶する。図６は、カバー楽曲記憶部１００に記憶されているデータ例を示す。図６の例では、楽曲（原曲）が発表された一の年毎に、カバー楽曲の楽曲ＩＤ、及び各カバー楽曲が発表された年が関連付けられたテーブル形式のデータとして記憶されている。図６の例において、１９８０年に発表された楽曲全てに対応するカバー楽曲は、ＩＤ８００１〜ＩＤ８０１５の１５曲存在する。また１５曲のカバー楽曲は、それぞれ異なる年に発表された楽曲である。たとえば、楽曲ＩＤ８００１のカバー楽曲は１９９５年に発表され、楽曲ＩＤ８００２のカバー楽曲は１９９８年に発表され、・・・・楽曲ＩＤ８０１４のカバー楽曲は２００８年に発表され、楽曲ＩＤ８０１５のカバー楽曲は２０１５年に発表されている。
【００５８】
［判別部］
本実施形態に係る判別部３００は、特定された最年長者の歌唱年代だけでなく、他の利用者の歌唱年代を判別する。他の利用者の歌唱年代の判別は、第１実施形態で説明した利用者Ａの歌唱年代を判別する方法と同様の方法を用いることができる（但し、歌唱中の楽曲が発表された年代に基づく例を除く）。
【００５９】
たとえば、カラオケ装置１にログインした利用者Ａ及び利用者Ｂのうち、利用者Ａが最年長者として特定されたとする。この場合、判別部３００は、利用者Ｂ（他の利用者）の歌唱履歴を参照し、歌唱年代を判別する。図７は、利用者Ｂの歌唱履歴を示す図である。図７によれば、利用者Ｂは、２００５年〜２０１５年に発表された楽曲を歌唱したことがある。ここで、たとえば歌唱する頻度が２０以上の年を歌唱年代とするよう設定されているとする。この場合、判別部３００は、頻度が２０以上の２００７年〜２０１０年を利用者Ｂの歌唱年代として判別する。
【００６０】
［抽出部］
抽出部４００は、カバー楽曲記憶部１００を参照し、最年長者の歌唱年代を原曲の発表年代とするカバー楽曲のうち、他の利用者の歌唱年代に発表されたカバー楽曲を抽出する。
【００６１】
たとえば、図４の例において、最年長者である利用者Ａの歌唱年代が１９８０年と判別されたとする。一方、図７の例において、年下の利用者Ｂの歌唱年代が２００７年〜２０１０年と判別されたとする。この場合、抽出部４００は、カバー楽曲記憶部１００に記憶されているテーブルデータ（図６）の中から、１９８０年に発表された楽曲に対応するカバー楽曲のうち、２００７年〜２０１０年に発表されたカバー楽曲の楽曲ＩＤ（たとえば、楽曲ＩＤ８０１４）を抽出する。一方、１９８０年に発表された楽曲に対応するカバー楽曲であっても、２００７年〜２０１０年に発表されたカバー楽曲でない場合、抽出部４００は、当該カバー楽曲（たとえば、楽曲ＩＤ８００１、８００２のカバー楽曲）の抽出を行わない。
【００６２】
＝＝カラオケ装置１の動作について＝＝
次に、図８を参照して本実施形態におけるカラオケ装置１の動作の具体例について述べる。図８は、カラオケ装置１の動作例を示すフローチャートである。この例では、利用者Ａ及び利用者Ｂがカラオケ装置１でカラオケ歌唱を行うとする。また、利用者Ａが最年長者であるとする。
【００６３】
利用者Ａ及び利用者Ｂは、自己の利用者ＩＤでカラオケ装置１にログインする（利用者のログイン。ステップ２０）。特定部２００は、利用者Ａと利用者Ｂの登録情報から年齢情報を読み出して比較することで、最年長者（利用者Ａ）を特定する（最年長者の特定。ステップ２１）。
【００６４】
判別部３００は、ステップ２１で特定された利用者Ａの歌唱履歴に基づいて、利用者Ａの歌唱年代を判別する（最年長者の歌唱年代の判別。ステップ２２）。また、判別部３００は、最年長者以外の他の利用者Ｂの歌唱履歴に基づいて、利用者Ｂの歌唱年代を判別する（他の利用者の歌唱年代の判別。ステップ２３）。
【００６５】
抽出部４００は、カバー楽曲記憶部１００を参照し、ステップ２２で判別された歌唱年代を原曲の発表年代とするカバー楽曲を特定する（最年長者の歌唱年代に対応するカバー楽曲の特定。ステップ２４）。
【００６６】
更に、抽出部４００は、カバー楽曲記憶部１００を参照し、ステップ２４で特定したカバー楽曲のうち、ステップ２３で判別された歌唱年代に発表されたカバー楽曲を抽出する（他の利用者の歌唱年代に対応するカバー楽曲の抽出。ステップ２５）。
【００６７】
提示部５００は、利用者Ｂに対し、ステップ２５で抽出したカバー楽曲を示す情報を提示する（カバー楽曲の提示。ステップ２６）。
【００６８】
以上から明らかなように、本実施形態に係るカバー楽曲記憶部１００は、カバー楽曲の識別情報に対し、当該カバー楽曲が発表された年代を更に紐付けて記憶する。また、判別部３００は、他の利用者の歌唱年代を判別する。抽出部４００は、カバー楽曲記憶部１００を参照し、最年長者の歌唱年代を原曲の発表年代とするカバー楽曲のうち、他の利用者の歌唱年代に発表されたカバー楽曲を抽出する。
【００６９】
このように、他の利用者の歌唱年代を考慮してカバー楽曲を抽出することにより、抽出されたカバー楽曲自体を知らないという可能性を低減できる。従って、カラオケ歌唱のために予約する楽曲が決まらない等の問題がより生じ難い。すなわち、本実施形態に係るカラオケ装置１によれば、年齢差がある利用者同士でカラオケ歌唱を行う際、年下の利用者がカラオケ歌唱し易い楽曲をより確実に提示できる。従って、カラオケ歌唱の場の雰囲気を損なうことが無い。
【００７０】
＜その他＞
上記実施形態は、例として提示したものであり、発明の範囲を限定するものではない。上記の構成は、適宜組み合わせて実施することが可能であり、発明の要旨を逸脱しない範囲で、種々の省略、置き換え、変更を行うことができる。上記実施形態やその変形は、発明の範囲や要旨に含まれると同様に、特許請求の範囲に記載された発明とその均等の範囲に含まれる。
【符号の説明】
【００７１】
１  カラオケ装置
１００  カバー楽曲記憶部
２００  特定部
３００  判別部
４００  抽出部
５００  提示部
【図１】
2019101118.tif 000003
【図２】
2019101118.tif 000004
【図３】
2019101118.tif 000005
【図４】
2019101118.tif 000006
【図５】
2019101118.tif 000007
【図６】
2019101118.tif 000008
【図７】
2019101118.tif 000009
【図８】
2019101118.tif 000010